(57)【要約】  本発明は方法を開示する。該方法は、モバイルシステムにより以前実行されたハンドオーバーの識別情報またはロケーション情報を記憶する段階と、いつモバイルシステムが目標フェムトセルのカバレッジエリア内に入るか予測する段階と、識別情報またはロケーション情報に基づきカバレッジエリアを認識する段階と、ハンドオーバー前に目標フェムトセルを求めてスキャンする段階とを有する。
2012531099.tif 000002
【特許請求の範囲】
【請求項１】
モバイルシステムにより実行される方法であって、
前記モバイルシステムと目標フェムトセルとの間で以前行ったハンドオーバーの情報を記憶する段階と、
前記情報に基づき、いつ前記モバイルシステムが前記目標フェムトセルのレンジエリア内に再びはいるか予測する段階と、
前記情報に基づき前記カバレッジエリアを認識する段階と、
前記目標フェムトセルとハンドオーバーを再び実行する前に、前記目標フェムトセルをスキャンする段階と、を有する方法。
【請求項２】
前記情報は、前記モバイルシステムが前記目標フェムトセルに、または前記目標フェムトセルから前記ハンドオーバーを以前実行したマクロセルの識別情報を含む、請求項１に記載の方法。
【請求項３】
前記情報は、前記モバイルシステムが前記目標フェムトセルに、または前記目標フェムトセルから前記ハンドオーバーを以前実行したロケーション及び／またはネットワークトポロジー情報を含む、請求項１に記載の方法。
【請求項４】
マクロセルと前記目標フェムトセルとが協働して前記情報を交換する、請求項１に記載の方法。
【請求項５】
マクロセルと前記目標フェムトセルとが協働して前記モバイルシステムをモニタする、請求項１に記載の方法。
【請求項６】
前記マクロセルと前記目標フェムトセルは有線バックボーンを介して通信する、請求項５に記載の方法。
【請求項７】
前記マクロセルと前記目標フェムトセルはマクロセルの無線通信を介して通信する、請求項５に記載の方法。
【請求項８】
モバイルシステムが目標フェムトセルのカバレッジエリア内に入ることを予測する段階と、
前記目標フェムトセルの最新のシステム識別情報に関するユニキャストメッセージを送信する段階とを有する、方法。
【請求項９】
前記モバイルシステムは、前記目標フェムトセルの前記最新システム識別情報を要求するマクロセルに、要求されたユニキャストメッセージとして、前記ユニキャストメッセージを送信する、請求項８に記載の方法。
【請求項１０】
マクロセルは、前記モバイルシステムに、前記目標フェムトセルの前記最新システム識別情報を含む、要求されていないユニキャストメッセージとして、前記ユニキャストメッセージを送信する、請求項８に記載の方法。
【請求項１１】
前記マクロセルは、前記目標フェムトセルと通信して、前記モバイルシステムにより要求された前記目標フェムトセルの前記最新システム識別情報を取得する、請求項９に記載の方法。
【請求項１２】
前記マクロセルは、前記目標フェムトセルと有線バックボーンを介して通信する、請求項１１に記載の方法。
【請求項１３】
前記マクロセルは、前記目標フェムトセルとマクロセル無線通信を介して通信する、請求項１１に記載の方法。
【請求項１４】
前記モバイルシステムが要求した前記目標フェムトセルの前記最新システム識別情報を前記マクロセルが取得できないと、前記モバイルシステムは、前記マクロセルとの現在のサービス接続を維持したまま、前記目標フェムトセルと同期して、前記モバイルシステムのダウンリンク制御チャネルで受信する、請求項９に記載の方法。
【請求項１５】
共存するマクロセルと目標フェムトセルとの間でフレーム開始時間をオフセットする段階と、
前記マクロセルと前記目標フェムトセルとの間をスイッチする段階と、
前記マクロセルと前記目標フェムトセルから制御情報を同時に受信する段階とを有する、方法。
【請求項１６】
すべてのフレームではなく、一定のフレームで、システム情報を送信する、請求項１５に記載の方法。
【請求項１７】
１フレームは８サブフレームを有する、請求項１５に記載の方法。
【請求項１８】
モバイルシステムにより以前実行されたハンドオーバーの識別情報またはロケーション情報を記憶するバッファメモリと、
前記識別情報または前記ロケーション情報に基づき、目標フェムトセルのカバレッジエリアを認識するロジックとを有する、装置。
【請求項１９】
無線周波数インタフェースをさらに有する、請求項１８に記載の装置。
【請求項２０】
ＰＨＹベースバンドプロセッサとＭＡＣ処理回路とをさらに有する、請求項１９に記載の装置。
【発明の詳細な説明】
【技術分野】
【０００１】
本発明は無線通信の分野に関し、より具体的には、マクロセルからフェムトセルへの再選択をする装置と方法とに関する。
【背景技術】
【０００２】
移動無線システムによりユーザは無線トランシーバを用いて通信できる。移動無線システムは、セル方式電話システムとパーソナル通信サービス方式（ＰＣＳ）電話システムとを含む。無線トランシーバは、セル方式電話、ＰＣＳ電話、パーソナルデジタルアシスタント（ＰＤＡ）、及び移動インターネットデバイス（ＭＩＤ）を含む。
【０００３】
移動無線システムは、ある信号周波数にアクセスし使用するライセンスを政府から受けている。基地局が約１マイルおきに設置され、ライセンスを受けた周波数での通信をサポートする。基地局は、セル方式ネットワークのセル方式タワーを含む。しかし、音声及びデータ転送品質、レート、及びレンジにおける制約により、ライセンスを受けた無線システムのサービス品質（ＱｏＳ）は、ユーザの移動が制約される従来の有線（地上通信線）よりも低くなる。
【０００４】
フェムトセルは、デジタル加入者線（ＤＳＬ）やケーブルモデムなどのブロードバンド接続を用いて標準的な移動デバイスを携帯電話会社のネットワークに接続するようライセンスを受けた枠内で（in  licensed  spectrum）動作する低電力無線アクセスポイントである。フェムトセルによりサービスプロバイダはそのサービスカバレッジを屋内に拡張でき、特にアクセスが制約され又は不可能だった場所に拡張できる。
【０００５】
マクロセルからフェムトセルへのハンドオーバーでは、現在、マクロセル基地局が、レンジ内のすべての移動システムに通知するため、すべての近接する基地局のシステム情報を定期的にブロードキャストする必要がある。近接するセルのリストには、ハンドオーバー前の、選択とリダイレクション（redirection）が可能な潜在的なハンドオーバー候補を含む。
【０００６】
しかし、多数のフェムトセルがマクロセルと共存する場合、かかるプロトコルはスケーラブルではない。特に、現在のプロトコルは、バッテリ消費が過大であり、過剰なサービス中断が発生してしまう。よって、フェムトセルの使用が広まったときには、効率的なハンドオーバーをする新しいソリューションが必要となる。
【図面の簡単な説明】
【０００７】
【図１】本発明の一実施形態によるセル再選択を示すフローチャートである。
【図２】本発明の一実施形態によるマクロセルから目標フェムトセルへのスキャンとハンドオーバーのトリガーとタイミングとを示す図である。
【図３】本発明の一実施形態によるマクロセルとフェムトセルへの並列接続（concurrent  connection）を可能にするフレームスタートのオフセットを示す図である。
【図４】本発明の一実施形態によるセル再選択を実行する装置を示す図である。
【図５】本発明の一実施形態による表１：ＭＯＢ＿ＦＨＯ−ＲＥＱ管理メッセージを示す。
【図６】本発明の一実施形態による表２：ＭＯＢ＿ＦＨＯ−ＲＳＰ管理メッセージを示す。
【図７】本発明の一実施形態による表３：移動システムのローカルＦＢＳデータベースを示す。
【発明を実施するための形態】
【０００８】
本発明の以下の説明では、本発明を完全に理解してもらうため、本発明の多数の詳細事項、実施例、及び実施形態を記載する。しかし、当業者には明らかなように、本発明は、記載した詳細事項、実施例、及び実施形態には限定されず、記載した詳細事項、実施例、及び実施形態が無くても本発明を実施できる。
【０００９】
他の場合、当業者は、周知の詳細事項、実施例、実施形態は本発明を分かりにくくしないよう、特には記載していないことが分かるであろう。
【００１０】
本発明の様々な実施形態をブロードバンド無線メトロポリタンエリアネットワーク（ＷＭＡＮ）に関して説明するが、本発明は他のタイプの無線ネットワークにも適用できる。かかるネットワークは、例えば、無線ローカルエリアネットワーク（ＷＬＡＮ）、無線パーソナルエリアネットワーク（ＷＰＡＮ）、及び携帯方式ネットワークなどの無線ワイドエリアネットワーク（ＷＷＡＮ）を含み得る。
【００１１】
さらに、ＷｉＭＡＸ（Worldwide  Interoperability  for  Microwave  Access）を参照して具体的な実施形態を説明するが、本発明の実施形態はこれに限定されず、適切であれば、単一キャリア通信チャネルを含む他の無線インタフェースを用いて実施することもできる。
【００１２】
以下の実施形態は、無線システムの送信器と受信器を含む様々なアプリケーションで用いることができる。しかし、本発明はこの点では限定はされない。本発明の範囲内の無線システムは、ネットワークインタフェースカード（ＮＩＣ）、ネットワークアダプタ、固定または移動クライアントデバイス、メッシュリレー、基地局、ゲートウェイ、ブリッジ、ハブ、ルータ、その他のネットワーク機器を含むが、これらに限定されない。
【００１３】
さらに、本発明の範囲内の無線システムは、セル方式無線電話システム、衛星システム、パーソナル通信システム（ＰＣＳ）、双方向無線システム、双方向ページャ、及び無線システムを含むコンピューティングデバイスであるパーソナルコンピュータ（ＰＣ）、パーソナルデジタルアシスタント（ＰＤＡ）、モバイルインターネットデバイス（ＭＩＤ）、ハンドヘルド通信デバイスなど、及び本質的に関連し、実施形態の原理がうまく適用できる全てのシステムにおいて実施できる。
【００１４】
フェムトセルはセル方式の基地局（ＢＳ）とアクセスポイントを組み合わせたデバイスである。フェムトセルは小型、軽量、自己完結的であり、安価である場合が多い。多くのアプリケーションにおいて、フェムトセルは、信頼性の高いセキュリティとプラグアンドプレイ機能を有する。
【００１５】
プラグアンドプレイフェムトセルは、ネットワーク事業者ではなく、ユーザにより容易に設置できる。フェムトセルは、１つ以上の機能を実行でき、それには自動設定、（事業者のネットワークの）セルフディスカバリ、自己認証、自己登録、自己最適化、及び自動アップグレードが含まれる。
【００１６】
一部のアプリケーションにおいて、フェムトセルは、さらに、ネットワークがそのユーザに新しいサービスを提供する準備（preparing  and  equipping）を行う自動プロビジョニング（auto-provisioning）を行うことができる。
【００１７】
一般的なアプリケーションでは、フェムトセルはＳＯＨＯ（small  office  or  home  office）などの屋内に配置され、ネットワークの遠端にあり、立地やビルの建設などにより電波が届きにくいデッドスポットにカバレッジを拡張して改善できる。動作時には、フェムトセルは１０−３００ｍの送信出力で無線周波数（ＲＦ）信号を出力できる。
【００１８】
必要に応じて、フェムトセルは複数の不特定のユーザグループに同時アクセスを提供できる。あるいは、同時アクセスは複数の特定ユーザグループに制限することもできる。場合によっては、グループには１ないし６０人のユーザが同時に含まれることもある。
【００１９】
屋内のカバレッジを拡大して改善する他に、フェムトセルは、インターネットのブラウズやビデオ電話などの、大きな帯域幅を使うモバイルサービスに対し、ネットワークのキャパシティを増大できる。一例として、８．７５ＭＨｚのピークデータ転送レートは、２０−４０Ｍｂｐｓのダウンリンク（ＤＬ）と５−１０Ｍｂｐｓのアップリンク（ＵＬ）を含む。
【００２０】
さらに、フェムトセルにより、セル方式ネットワークに負荷がかからず、モバイルキャリアの固定インフラストラクチャに直接戻るＩＰ（Internet  Protocol）ベースのサービスのルーティングによる輻輳が低減される。例えば、フェムトセルは、オペレータのコアネットワークへのＩＰバックホール（IP  backhaul）に、非対称デジタル加入者線（ＡＤＳＬ）、ケーブル、イーサネット（登録商標）、または光ファイバーなどの既存の有線ブロードバンド接続を用いることができる。
【００２１】
フェムトセルは、カバレッジ半径内の音声、ビデオ、またはデータの接続の際、外部または屋外のセル方式ネットワークのマクロセルへのローカル接続を中継できる。マクロセルには、通常、フェムトセルが配置されたビルの外にある基地局（ＢＳ）がある。フェムトセルとマクロセルは両方とも、オペレータにライセンスされたスペクトルで動作する。
【００２２】
フェムトセルとマクロセルは周波数を共用することも、異なる周波数を使うこともある。マクロセルとフェムトセルが同じ周波数で動作するとき、無線インタフェースはあまり複雑にすることなく同期をサポートしなければならない。
【００２３】
具体的な展開では、１−１，５００個のフェムトセルがマクロセルのカバレッジエリア内に配置されることがある。好ましくは、近接するフェムトセルは互いに干渉すべきではない。フェムトセルは、非ライセンススペクトルを用いるＷｉＦｉやブルートゥースを含むその他の利用可能な接続技術とも共存しなければならない。
【００２４】
場合によっては、ユーザには、ノートブック（ラップトップ）コンピュータやサブノートブック（ネットブック）コンピュータなどの非移動デバイスが含まれる。より一般的には、ユーザには、携帯電話、パーソナルデジタルアシスタント（ＰＤＡ）、モバイルインターネットデバイス（ＭＩＤ）などのモバイルシステム（ＭＳ）が含まれる。ユーザは、一般的な歩行速度である毎時約３−４マイルなどでビル内をゆっくり移動することが多い。
【００２５】
ユーザが移動し、モバイルシステムが信号を送受信していても、ハンドオフまたはハンドオーバ（ＨＯ）前に、セル再選択をいつどこで開始するのが最適か判断する必要がある。ハンドオーバーを遅らせると、最初はセルキャパシティの利用度を高く維持することができるが、その後に信号レベルと信号品質が低下するリスクがある。
【００２６】
高いＱｏＳ（Quality  of  Service）を維持するには、マクロセルからフェムトセル、フェムトセルから他のフェムトセル、フェムトセルから他のマクロセルへのハンドオーバーが効率的、高信頼、及びシームレスである必要がある。フェムトセルが、モバイルシステムの信号がフェムトセルから他のフェムトセルに完全に転送されるハードハンドオーバーを用いると効率がよい。
【００２７】
しかし、モバイルシステムが一時的に２つ以上のフェムトセルに接続されるソフトハンドオーバーをフェムトセルが用いると、ハンドオーバーがうまく行かないリスクを低減できる。かかる状況では、様々なフェムトセルからの信号のレベルと品質を互いに比較し、セキュリティがよく、信号レベルが強く、品質が高いフェムトセルを最終的に選択する。
【００２８】
セル再選択は、一般的にはハンドオーバーに先立つプロセスである。セル再選択は、モバイルシステムが１つ以上の基地局をスキャンし、関連付けて、各基地局のハンドオーバー目標（target）としての適格性を判断するものである。セル再選択時、サービスしている基地局への既存の接続は維持され得る。
【００２９】
本発明は、モバイルシステムがいつ目標フェムトセルのカバレッジエリア内に入るか推定することを含む。本発明の一部の実施形態では、記憶したシステム情報とともに、ロケーションベース情報を利用して、目標フェムトセルにハンドオーバーを実行してもよい。
【００３０】
有利にも、本発明の一部の実施形態により、ハンドオーバーを実行するために、記憶したシステム情報とともにロケーションベース情報を用いることにより、移動システムのエネルギーを節約でき、セル方式システムが要する帯域幅を減らすことができる。図１に示したように、マクロセルからフェムトセルへのさ医選択プロセスは、一般的に、ハンドオーバーの前に行われる。
【００３１】
図１のブロック１１０に示したように、最初、モバイルシステムが目標フェムトセルのレンジ内にありそうか判断する。その結果がＮＯであれば、モバイルシステムが移動している間でもこの判断（inquiry）を繰り返す。その結果がＹＥＳであれば、図１のブロック１２０に進む。
【００３２】
次に、図１のブロック１２０に示したように、要求された（on-demand）または要求されていない（unsolicited）ユニキャストメッセージを送信してもよい。
【００３３】
次に、図１のブロック１３０に示したように、ＤＣＤとＵＣＤを受信したか判断する。
【００３４】
その結果がＹＥＳであれば、図１のブロック１７０に進み、ハンドオーバーを開始する。
【００３５】
しかし、その結果がＮＯであれば、図１のブロック１４０に回り道する。
【００３６】
異なるベンダーにより製造されたため、マクロセルが目標フェムトセルを認識しないとき、または相互アクセスの契約を結んでいない異なるオペレータのネットワークに属し、目標フェムトセルがマクロセルに最新のシステム情報を転送できないとき、モバイルシステムは、ハンドオーバーを開始する前に、そのローカルフェムトセルデータベース中の情報を用いて、チャネルをスキャンし（ブロック１４０）、フェムトセルの最新システム情報を発見し（ブロック１５０）、目標フェムトセルからＤＣＤメッセージとＵＣＤメッセージとを受信する（ブロック１６０）。
【００３７】
ブロック１１０において、モバイルシステムに記憶された情報に基づいて判断をしてもよい。例えば、モバイルシステムは、キャッシュメモリやバッファメモリなどに、そのモバイルシステムが以前、目標フェムトセルに、またはその目標フェムトセルからハンドオーバーをしたことがあるマクロセルの識別（ＩＤ）情報を記憶していてもよい。
【００３８】
その結果、モバイルシステムは、同じマクロセルに戻るたびに、そのマクロセルのＩＤ情報を認識し、この情報に基づいて、その移動局がその目標フェムトセルのレンジ内にいると判断する。
【００３９】
あるいは、マクロセルは、目標フェムトセルに、またはその目標フェムトセルから以前ハンドオーバーしたことがあるロケーション及び／またはネットワークトポロジーの情報を記憶していてもよい。
【００４０】
その結果、モバイルシステムが同じマクロセルに戻るたびに、そのマクロセルがそのモバイルシステムを認識し、この情報に基づいて、その移動局がその目標フェムトセルのレンジ内にいると判断する。
【００４１】
他の実施例では、マクロセルはロケーションベースサービス（ＬＢＳ、Location  Based  Service）を提供できることもある。モバイルシステムは、必要に応じて、そのモバイルシステムが以前、目標フェムトセルに、またはその目標フェムトセルからハンドオーバーを行ったロケーションの情報を記憶していてもよい。
【００４２】
あるいは、モバイルシステムは、ＧＰＳ（Global  Positioning  System）を用いてロケーションを判断してもよい。
【００４３】
ＷｉＭＡＸ（Worldwide  Interoperability  for  Microwave  Access）クライアントは、それと共に配置された（co-located）ＧＰＳなどのロケーション追跡デバイスを用いて、目標フェムトセルのロケーション情報を取得してもよい。その結果、モバイルシステムは、同じロケーションに戻るたびに、ハンドオーバーの前に、目標フェムトセルのロケーションを認識して、その目標フェムトセルのスキャンを開始する。
【００４４】
図１のブロック１２０に示したように、要求された（on-demand）または要求されていない（unsolicited）ユニキャストメッセージを送信してもよい。例えば、モバイルシステムは、目標フェムトセルのカバレッジレンジ内にいると期待されるとき、目標フェムトセルのＤＣＤ（Downlink  Channel  Descriptor）やＵＤＣ（Uplink  Channel  Descriptor）などの最新のシステム識別（ＩＤ）情報を求めるマクロセルに、「ＭＯＢ＿ＦＨＯ−ＲＥＱ」などの要求されたユニキャストメッセージを送信できる。図５の表１を参照されたい。
【００４５】
他の場合に、モバイルシステムは、最初にユーザが目標フェムトセルをインストールした時に、目標フェムトセルのシステム識別情報を事前に取得していてもよい。一般的に、システム識別情報は変更されない。目標フェムトセルの一意的識別情報は、４８ビットＢＳ  ＩＤ、ＩＰアドレス、ホスト名、またはＭＡＣアドレスなどである。
【００４６】
マクロセルは、「ＭＯＢ＿ＳＣＮ−ＲＥＱ」メッセージを受信すると、「ＭＯＢ  ＦＨＯ−ＲＳＰ」で応答し、セル再選択ステップ中にモバイルシステムがＰＨＹとＭＡＣの同期を完了する情報を提供する。図６の表２を参照されたい。
【００４７】
あるいは、モバイルシステムがマクロセルに「ＭＯＢ＿ＳＣＮ−ＲＥＱ」を最初に送信せずに、マクロセルが、要求されていない「ＭＯＢ  ＦＨＯ−ＲＳＰ」メッセージをモバイルシステムに送信して、モバイルシステムに目標フェムトセルへのハンドオーバーの準備を開始するように通知する。
【００４８】
例えば、モバイルシステムが目標フェムトセルのカバレッジエリア内に入ると期待される時、マクロセルがハンドオーバー前にモバイルシステムに、目標フェムトセルのＤＣＤやＵＣＤなどの最新システム識別情報を含む、ＭＯＢ  ＦＨＯ−ＲＳＰなどの、要求されていないユニキャストメッセージを送信してもよい。要求された、目標フェムトセルのシステム識別情報により、モバイルシステムは、セル再選択中に、ＰＨＹとＭＡＣの同期を開始できる。
【００４９】
ある状況では、マクロセルは、目標フェムトセルの最新システム情報を要求するモバイルシステムからのユニキャストメッセージを受信すると、有線バックボーンを介してその目標フェムトセルと通信して、その目標フェムトセルの要求されたシステム情報を取得する。
【００５０】
別のある状況では、マクロセルは、目標フェムトセルの最新システム情報を要求するモバイルシステムからのユニキャストメッセージを受信すると、マクロセル無線通信を介してその目標フェムトセルと通信して、その目標フェムトセルの要求されたシステム情報を取得する。
【００５１】
モバイルシステムが要求した目標フェムトセルの最新システム情報をマクロセルが取得できないと、モバイルシステムは、マクロセルとの現在のサービス接続を維持したまま、目標フェムトセルと同期して、モバイルシステムのダウンリンク制御チャネルで受信する。
【００５２】
異なるベンダーにより製造されたため、マクロセルが目標フェムトセルを認識しないとき、または相互アクセスの契約を結んでいない異なるオペレータのネットワークに属し、目標フェムトセルがマクロセルに最新のシステム情報を転送できないとき、モバイルシステムは、ハンドオーバーを開始する前に、そのローカルフェムトセルデータベース中の情報を用いて、チャネルをスキャンし（ブロック１４０）、フェムトセルの最新システム情報を発見し（ブロック１５０）、目標フェムトセルからＤＣＤメッセージとＵＣＤメッセージとを受信する（ブロック１６０）。図７の表３を参照されたい。
【００５３】
図２を参照して、本発明の一部の実施形態では、モバイルシステム２３が目標フェムトセルのカバレッジエリアと重なるマクロセル２１のカバレッジエリアに入ると、マクロセル２１は、目標フェムトセル２２に、モバイルシステム２３のＭＡＣ（Media  Access  Control）コンテキスト（context）を転送する（２１０）。
【００５４】
次に、目標フェムトセル２２は、マクロセル２１におけるモバイルシステム２３のアップリンク送信のモニタを開始する。これは、目標フェムトセル２２がマクロセル２１クライアントモードに定期的に切り替わる時に可能である。目標フェムトセル２２は、ハンドオーバーを受けると期待される時に、フルロード（fully  loaded）ではない可能性が高いからである。
【００５５】
モニタリングは、ＰＨＹ（Physical）レイヤで行われ、セキュリティレイヤは見ない。目標フェムトセル２２は、マクロセル２１の共通ダウンリンク（ＤＬ）制御チャネルを聞き、モバイルシステム２３のアップリンク（ＵＬ）送信のスケジュールを受信し、ＣＲＣ（Cyclic  Redundance  Check）を介してデータバーストが正しく受信できるか確認（verify）する。
【００５６】
目標フェムトセル２２は、モバイルシステム２３がレンジ内にいると検出すると、マクロセル２１に通知して（２３０）、スキャニングやハンドオーバーを開始する（２４０）。あるアプリケーションでは、目標フェムトセル２２とマクロセル２１とは有線バックボーンを介して通信する。
【００５７】
他の一アプリケーションでは、目標フェムトセル２２とマクロセル２１とはマクロセル２１の無線通信を介して通信する。
【００５８】
図３を参照して、すべてのサブフレームではなく、一定のサブフレームのみで、ＤＣＤやＵＣＤなどのシステム情報を送信する。かかる状況では、共存する（co-located）マクロセル２１と目標フェムトセル２２との間で、フレーム開始時間は、一定数のサブフレームだけオフセットされ、モバイルシステム２３がマクロセル２１と目標フェムトセル２２との間でスイッチでき、ハンドオーバー前に、マクロセル２１からの制御情報２１０と目標フェムトセル２２からの制御情報２２０とを同時に受信できる。
【００５９】
図３は８個のサブフレームを含むフレームを示している。モバイルシステム２３は、第１のＤＬサブフレーム中のＤＬ制御により分かる、マクロセルＤＬフレームに関連情報がない場合にのみ、マクロセル２１からフェムトセル２２にスイッチする。
【００６０】
図４に示したように、本発明はさらに、無線ネットワークなどのネットワークで機能または動作する基地局、アクセスポイント、マクロセル、ピコセル、またはフェムトセルなどの装置４００も含む。
【００６１】
装置４００は、無線周波数（ＲＦ）インタフェース４１０と処理部４２０とを含む。処理部４２０は、上記のプロセスを実行するロジックを含む。このロジックは、ハードウェア、ファームウェア、及びソフトウェアを含み得る。ハードウェアは回路を含み得る。
【００６２】
ＲＦインタフェース４１０は、上記のプロセスとコンパチブルな様々な無線（ＯＴＡ、over-the-air）変調または多重化方式で信号を送受信する。ＲＦインタフェース４１０は、受信器４１２、送信器４１４、及び周波数シンセサイザ４１６を含む。ＲＦインタフェース４１０は、バイアス制御、クリスタル発振器、及び１つ以上のアンテナ４１８、４１９を含む。ＲＦインタフェース４１０は、外部電圧制御発振器（ＶＣＯ）、ＳＡＷ（surface  acoustic  wave）フィルタ、中間周波数（ＩＦ）フィルタ、及び無線周波数（ＲＦ）フィルタを含んでいてもよい。
【００６３】
処理部４２０は、ＲＦインタフェース４１０と通信して信号を送受信する。処理部４２０は、受信信号をダウンコンバーティングするアナログ・デジタル・コンバータ（ＡＤＣ）４２２と、送信のために信号をアップコンバーティングするデジタル・アナログ・コンバータ（ＤＡＣ）４２４と、送受信信号のＰＨＹ（physical）リンクレイヤ処理をするベースバンドプロセッサ４２６とを含む。
【００６４】
処理部４２０は、ＭＡＣ（media  access  control）／データリンクレイヤ処理をする処理回路４２８を含む。ＭＡＣ処理回路４２８は、スケジューラ４２９とバッファメモリ４２７を含み得る。処理部４２０は他のインタフェース４３０を含んでもよい。
【００６５】
ＰＨＹベースバンドプロセッサ４２６とＭＡＣ処理回路４２８とは、上記の通り、帯域幅要求を処理するように機能し動作する。ＰＨＹベースバンドプロセッサ４２６は、ＭＡＣ処理回路４２８とは独立してこれらの処理を実行する。必要に応じて、ＰＨＹベースバンドプロセッサ４２６とＭＡＣ処理回路４２８とは、単一のプロセッサまたは回路に集積することもできる。
【００６６】
本発明をよく理解してもらうため、多くの実施形態と詳細事項を説明した。当業者には明らかであるように、ある実施形態の多くの特徴が他の実施形態にも等しく適用可能である。当業者には言うまでもなく、ここに記載したこれらの具体的な材料、プロセス、寸法、濃度などを様々な等価に代替することが可能である。言うまでもなく、本発明の詳細な説明は、例示であり、限定ではないと解釈すべきである。本発明の範囲は添付した特許請求の範囲により決まる。
【図１】
2012531099.tif 000003
【図２】
2012531099.tif 000004
【図３】
2012531099.tif 000005
【図４】
2012531099.tif 000006
【図５】
2012531099.tif 000007
【図６】
2012531099.tif 000008
【図７】
2012531099.tif 000009
【国際調査報告】
2012531099.tif 000010
2012531099.tif 000011